Podtech/llm-jp-corpus-v4-ja_patent huggingface dataset:
(57)【要約】      （修正有）【課題】電線管と配電箱、電線管と電線管などを接続するフレキシブル継手において、耐食性向上のために電気絶縁性を付与するフレキシブル継手を提供する。【解決手段】フレキシブルホース３と接続金具とをフェルール４を介して接続する場合、フェルール４の全面または部分に樹脂被膜５を施して、フレキシブルメタルホース３と接続金具の間を電気的に絶縁したことを特徴とするフレキシブル絶縁継手。【選択図】図１
0003185071.tif 000002
【実用新案登録請求の範囲】
【請求項１】
電線管と配電箱、電線管と電線管などを接続するフレキシブル継手において、フレキシブルホースと接続金具とをフェルールを介して接続する場合、フェルールの全面または部分に樹脂被膜を施して、フレキシブルメタルホースと接続金具の間を電気的に絶縁したことを特徴とするフレキシブル絶縁継手
【考案の詳細な説明】
【技術分野】
【０００１】  本考案は、電線管と配電箱または電線管と電線管を接続する継手に関するものである。
【背景技術】
【０００２】  電線管と配電箱は継手で接続されるが、電線管と配電箱の相対位置の公差が継手の部分に集められ、継手にはそれらの距離や角度の調節が要求される。この要求を満たすためにフレキシブル継手が用いられる。また、電線管と電線管の場合もほぼ同様である。以下、前者を例に説明する。【０００３】  電線管、フレキシブル継手、配電箱などは、それぞれの部品メーカーによって造られそれらをまとめるメーカーによって配電機構となり、それぞれ性能向上や原価低減が行われている。
例えば、配電箱の耐食性を向上する場合、ステンレス、鉄板に溶融亜鉛めっき、鉄板に溶融亜鉛−アルミ合金めっきと進歩してきた。また、フレキシブル継手もそれぞれ材料やめっきに工夫をして、耐食性と原価低減をしてきた。【０００４】  このように耐食性向上をしてきたが、鉄道と平行して走る管路の迷走電流による電食、トンネルや地下などの湿気のおおい所では材料の多様化による異種金属接触による電食、金属の表面積減少による集中腐食などの問題は対策が不十分で未解決であった。
そして、これらを防ぐためにはフレキシブル継手に、電気を流さないための絶縁性を付与する必要があるが、そのような物は作れなかった。
【考案の概要】
【考案が解決しようとする課題】
【０００５】  フレキシブル継手に電気絶縁性を付与すること。
【課題を解決するための手段】
【０００６】  フレキシブル継手はいくつかの部品で構成され導通状態にあるが、その中の部品に絶縁性を与えて、フレキシブル継手の導通を止める。
【考案の効果】
【０００７】  電線管と配電箱の間およびフレキシブル継手の部品間に電流が流れない、そのために金属部品の腐食が防げる。その結果、全体の寿命を延ばすことができる。
【図面の簡単な説明】
【０００８】
【図１】フレキシブル絶縁継手の構造図
【図２】フェルールの見取図
【考案を実施するための形態】
【０００９】  フレキシブル継手はいくつかの部品で出来ているが、その中の一つフェルールを樹脂被膜で覆い電気的絶縁をする。
【実施例１】
【００１０】  最初に構造を図１で説明する。
図１の１は電線管、２は配電箱である。この電線管１と配電箱２以外はフレキシブル絶縁継手である。
フレキシブル絶縁継手は次の部品で構成されている。３はフレキシブルホースで、内側は金属製のフレキシブルな管、外側は樹脂被膜で出来ている。４はフェルール、５はフェルール４に付けられた絶縁用の樹脂被膜である。
６Ｆは電線管１とめねじで接続する接続金具、６Ｌはロックナット、６Ｍはおねじとロックナット６Ｌで配電箱２に接続する接続金具である（以下、これら接続に用いる金具を総称して接続金具６という）。
７は軟質のパッキン、８は硬質の樹脂製ワッシャー、９は袋ナットである。１０はフレキシブルホース３の内面の溝、１１は溝１０に合わせたフェルール４に設けたネジねじ山、１２はねじ山１１のための切欠きである。
接続金具６には袋ナット９をねじ込むためのおねじが切ってある。【００１１】  フレキシブル絶縁継手は次のように組立てる。
組立はフレキシブルホース３の左側と右側で少し変える場合が多いが、ここでは両者を同じ方法で組立てるとして、その方法を述べる。
先ず、フレキシブルホース３に袋ナット９、ワッシャー８、パッキン７を嵌める。次に溝１０にねじ山１１をあわせて、フェルール４に樹脂被膜５を付けたものをフレキシブルホース３にねじ込む。最後に、袋ナット９を接続金具６にねじ込み、これらを動かぬように固定する。
フェルール４は表面に樹脂被膜５があるために樹脂と同じで電気を通さない。そのためにフレキシブルホース３と両端の接続金具６とは絶縁されている。これでフレキシブル絶縁継手の完成である。【００１２】  フレキシブル絶縁継手の取付けは次のようにする。
電線管１のおねじに接続金具６Ｆのめねじをねじ込み電線管１と接続し、接続金具６Ｍのおねじを配電箱２の穴に差し込み、ロックナット６Ｌを締付けて配電箱２に接続する。
これにより、電線管１と配電箱２はフレキシブルに接続されたが、電気的には絶縁されている。
フレキシブル継手外の接合部が異種金属接触となる場合は、フェルール４に樹脂被膜５を施したように当該箇所では絶縁材を介する接合にするなど電食を防ぐ必要がある。
【実施例２】
【００１３】  強度についてはフェルール４と樹脂被膜５が重要である。フレキシブルホース３からフェルール４を引抜く場合、樹脂被膜５が厚いと、その分だけフェルール４のネジ山１１が小さくなるので、引抜力が小さくなる。フレキシブルホース３の内径面に接する部分は樹脂被膜がない方が良い。【００１４】  絶縁については、樹脂被膜５の種類をエポキシ、ナイロン、ポリエチレンなどに変えて試験をした。密着性のよいエポキシおよびナイロンが絶縁を保ちやすい。
フェルール４の全面に樹脂被膜５を付けた例を説明したが、絶縁ができるように部分的に樹脂被膜を付けることは可能である。しかし、全面に付ける方が容易である。
【産業上の利用可能性】
【００１５】  以上は電線管と配電箱をフレキシブル絶縁継手で接続する場合について説明した。電線管と電線管、配電箱と配電箱などの接続も接続金具を変えればよく、全部で３種になる。これに呼び径の大小が加わり、自由に使えるようにすれば、寿命が長くなるので配電業界で大量に使われる可能性がある。
【符号の説明】
【００１６】    １：電線管    ２：配電箱    ３：フレキシブルホース
４：フェルール    ５：樹脂被膜    ６：接続金具の総称
６Ｆ：めねじ付接続金具    ６Ｌ：ロックナット    ６Ｍ：おねじ付接続金具
７：パッキン    ８：ワッシャー    ９：袋ナット
１０：溝    １１：ねじ山    １２：切欠き
【図１】
0003185071.tif 000003
【図２】
0003185071.tif 000004
(57)【要約】      （修正有）【課題】パイプ内で鼻咽喉軟性内視鏡挿入部を洗浄する流水洗浄器において、内視鏡先端レンズ面を従来の流水洗浄器より効果的に洗浄する鼻咽喉軟性内視鏡洗浄器を提供する。【解決手段】垂直に固定した透明パイプ１の中で鼻咽喉軟性内視鏡挿入部２を流水洗浄する際に、内視鏡先端レンズ面３直下にパイプ内径より小さな直径の円柱状構造４をパイプと同心に設置し、この上面を椀状に窪ませて椀状流水反射板５とした。この椀状流水反射板の上で、落下する流水の中心部の水は上方中心に向かって反射・反転し、さらに上方から落ちてくる流水と衝突して乱流を起こし、内視鏡先端レンズ面３を洗浄する。これらの水は円柱状構造４の周囲を下方に流れ落ちて排水される。【選択図】図２
0003185077.tif 000002
【実用新案登録請求の範囲】
【請求項１】
鼻咽喉軟性内視鏡挿入部を垂直に立てたパイプの中に固定し、上方から注入する流水によって洗浄する際に、内視鏡先端直下にパイプと同心に設置した椀状に窪んだ流水反射板によって流水の一部を反転し、乱流を起こさせて内視鏡先端のレンズ面を洗浄する工夫をした鼻咽喉軟性内視鏡洗浄器。
【考案の詳細な説明】
【技術分野】
【０００１】この考案は椀状流水反射板を用いることにより内視鏡先端のレンズ面をより効果的に洗浄する、改良型鼻咽喉軟性内視鏡洗浄器に関するものである。
【背景技術】
【０００２】  従来、次のような鼻咽喉軟性内視鏡用の流水洗浄器が市販されている。
垂直に設置したパイプ内に入れた鼻咽喉軟性内視鏡を、パイプ上方から注入させる流水によって洗浄し、先端のレンズ面については、その直下にパイプ内径より小さな平面円板を水平に設置することにより流水の一部を反転させ、レンズ面に水を当てて洗浄する構造のものである。
【考案の開示】
【考案が解決しようとする課題】
【０００３】  これには次のような欠点があった。
流水の一部が内視鏡先端直下に設置された平面円板の存在により下方に直接落ちず、円板上で反転された水が乱流を起こして内視鏡先端レンズ面に当たることによりこれを洗浄するという理論であるが、実際は流水が横方向に流れを変えるだけで乱流がほとんど発生していないため、内視鏡先端レンズ面の洗浄力が物理的に強力とは言いがたい。これについてはレンズ面付近に木綿糸を取り付けて内視鏡先端付近の水の流れを見る実験を行った結果、糸がレンズ面から斜め下方に流れたままであまり動かないことにより明らかである。
本考案はこの欠点を除き内視鏡先端レンズ面を十分に洗浄できるよう工夫したものである。
【課題を解決するための手段】
【０００４】  垂直に固定した透明パイプ（１）の中で鼻咽喉軟性内視鏡挿入部（２）を流水洗浄する際に、パイプ内の内視鏡先端レンズ面（３）直下１０ｍｍの位置にパイプ内径より直径の小さい円柱状構造（４）をパイプと同心に設置した。この円柱状構造の上面は、従来のものは平面円板であったが本発明では椀状に窪ませて椀状流水反射板（５）と名づけた。落下する流水中心部の水が椀状流水反射板（５）により上方向かつ中心方向に反射・反転され、内視鏡先端レンズ面（３）に当たることにより洗浄出来る構造とした。
本考案は以上のような構成よりなる改良型鼻咽喉軟性内視鏡洗浄器である。
【考案の効果】
【０００５】  透明パイプ（１）の中の鼻咽喉軟性内視鏡挿入部（２）側面は、その周囲を上方より供給された水が勢いよく流れることにより洗浄されるのは従来どおりであるが、先端レンズ面（３）については、透明パイプの中心に設置された椀状流水反射板（５）によって上方向かつ中心方向に戻された水が上方から落下する水と衝突し、確実に乱流を生ずることで効果的に洗浄される。これはレンズ面付近に木綿糸を取り付けて洗浄を行う実験で、糸が激しく振れ回ることから確認された。
【考案を実施するための最良の形態】
【０００６】  以下、本考案の実施の形態について説明する。
垂直に設置された内径１６ｍｍの透明パイプ（１）の上端付近に設けた側管の流水口（７）より水道水を管内を満たす流量で流す。パイプの中には鼻咽喉軟性内視鏡挿入部（２）が挿入され、内視鏡保持部（８）が内視鏡固定具（９）によって固定される。内視鏡先端レンズ面（３）の直下には椀状流水反射板（６）がパイプと同心で設置してあり、その周囲のパイプ内径は上方よりも漸増（６）させた。この構造によりパイプ内中心付近の水のみが円柱状構造（４）の上面すなわち椀状流水反射板（５）に当たって上方かつ中心方向に戻され、上方から落ちてくる水と衝突し、乱流を起こしてレンズ面にあたることで効果的なレンズ面の洗浄が行われる。外側の水はパイプの内面に沿って勢いよく下方に流れ、乱流を起こした中心付近の水が合流して円柱状構造（４）の周囲から下方に排水される。
【図面の簡単な説明】
【０００７】
【図１】  本考案の斜視図である。
【図２】  本考案使用中の一部断面図である。矢印は流水方向を示す。
【符号の説明】
【０００８】（１）透明パイプ  （２）鼻咽喉軟性内視鏡挿入部  （３）内視鏡先端レンズ面
（４）円柱状構造  （５）椀状流水反射板  （６）パイプ内径漸増部  （７）流水流入口
（８）内視鏡保持部  （９）内視鏡固定具
【図１】
0003185077.tif 000003
【図２】
0003185077.tif 000004
(57)【要約】      （修正有）【課題】ふえ続ける害獣の被害を少なくするためその害獣を駆除するための害獣の餌の吊り下げ構造を提供する。【解決手段】害獣が好むであろう餌の中に直徑１，０−２，０ミリ、長さ１，０−数センチで先端の鋭い金属線の直線１か又はＶ字２に曲げたものそれぞれに１−数箇所の返り３を付けた金属線を餌に混入させ、その餌を害獣の通路に門構え状の柱を設け、その柱に吊り下げたことを特徴とする。【選択図】図１
0003185052.tif 000002
【実用新案登録請求の範囲】
【請求項１】
害獣が好むであろう餌の中に金属線を混入し害獣の出没する場所に置き食させてその害獣を死に追いやる事を目的とし金属線を混入した事を特徴とする金属線を困入した害獣の餌。
【請求項２】
請求項１の金属線に１−数カ所の返りを付け害獣が口内に入れた場合吐き出す事を困難にする為に返りを付けた事を特徴とした金属線を混入した害獣の餌。
【考案の詳細な説明】
【技術分野】
【０００１】  本考案は害獣の刺殺又は撃退に関するものである。
【背景技術】
【０００２】  無人の田畑、果樹園又は森林の植生などを荒らす害獣による被害対策として狩猟、罠による捕獲等で個体数を減すか、又は山と田畑の境界に高電圧の電線を張り巡らすか、２メートル近い高さの防護策を設置し害獣の侵入を防ぐ等、行はれているが特に防護策設置の費用は高価で１町、村、１件当たりで億単位の金額となる、その防護策も川など害獣の抜け道もあり又害獣の移動も考えられ完全とは言えないのが現状である。
【先行技術文献】
【特許文献】
【０００３】
【考案の概要】
【考案が解決しようとする課題】
【０００４】    本考案は害獣の個体数を減す事が主であり害獣の山からの通路途中、又餌を求めて田畑に現はれる侵入口に害獣の最も好む餌を吊り下げ食させる事によってその害獣を死に追いやり前述の欠点を解決しようとするものである。
【課題を解決するための手段】
【０００５】    本考案は先に述べた害獣の最も好む餌の中に直径１−２ミリ長さ、１−数センチで先端の鋭い金属線の直線か又はＶ字型等に曲げたものそれぞれにかえりを１−数ケ所付け餌の中に１−数本混入しその餌を山から田畑に向かう害獣の通路、又は田畑の侵入口に吊り下げ害獣の空腹時をねらい、その餌を１気に食した害獣は口内、喉、胃に金属線が刺さり手のない害獣は吐き出す事は殆ど不可能で即死とはならなくとも山に返り死に至るものと考えられる。
【考案の効果】
【０００６】本考案は害獣が好む餌の種類、与える餌の大きさ、与える場所、吊り下げる高さ等で駆除しようとする害獣をある程度区分けする事が可能であり、特に森林、草原の食生を荒らす鹿、鉄道線路内に出没する鹿の駆除には最適である。又駆除する為の費用も殆ど掛からない等その効果は大である。
【図面の簡単な説明】
【０００７】
【図１】  本考案の餌の中に混入する金属線の形状の例
【図２】  餌の与え方の例    鹿、猪にあたえる、台は猪の踏み台。。
【考案を実施するための形態】
【０００８】  日本で主たる害獣は鹿、猪で他に一部地域に熊も現れる程度でこの三種を駆除するに此の考案は役立つと考える。
前項図２はその例である、餌の種類としては鹿は草食系、猪は肉食もある。
与える高さは成獣に同時に与える場合の例。
【符号の説明】
【０００９】１        直線型金属線
２        Ｖ字型金属線
３        かえり
４        餌
５        餌支え
６        猪の踏み台
Ｈ        約１，２メートル
ｈ        約３０センチメートル
【図１】
0003185052.tif 000003
【図２】
0003185052.tif 000004
【手続補正書】
【提出日】平成25年5月15日(2013.5.15)
【手続補正２】
【補正対象書類名】実用新案登録請求の範囲
【補正対象項目名】全文
【補正方法】変更
【補正の内容】
【実用新案登録請求の範囲】
【請求項１】
害獣が好むであろう餌の中に直徑１，０−２，０ミリ、長さ１，０−数センチで先端の鋭い金属線の直線か又はＶ字等に曲げたものそれぞれに１−数箇所の返りを付けた金属線を餌に混入させた害獣の餌の吊り下げ構造
(57)【要約】      （修正有）【課題】戸袋内に挿入する薄板の硬軟の材質や、ひんやりする性質の素材、あるいは心地良い匂いを発するものなど随意出し入れ交換する事が出来、薄板の出し入れも、片手だけでも可能で便利なファスナー構造を備えて成る枕カバーを提供する。【解決手段】枕カバー１の天井位置に任意の形の穴２を空けて、さらに、天井に空けた穴２の下の位置に枕カバーの面積とほぼ同じ寸法大の戸袋３を設ける。戸袋の一方には薄板８を出し入れするための開口部４を設ける。そうして成った枕カバーの一方の端を切りおとして枕カバーの開口部５とする。【選択図】図１
0003185056.tif 000002
【実用新案登録請求の範囲】
【請求項１】
枕カバー（１）の天井位置に任意の形の穴（２）を空けて、さらに、天井に空けた穴（２）の下の位置に枕カバーの面積とほぼ同じ寸法大の戸袋（３）を設ける。戸袋の一方には薄板（８）を出し入れするための開口部４を設ける。そうして成った枕カバーの一方の端を切りおとして枕カバーの開口部（５）とする。そこに開閉用のファスナー（６）を設ける。次に、ファスナー（６）を開いた状態で、枕（７）を一番下に挿入して後、利用者がその日に利用したい薄板（８）を挿入してファスナーを閉じて本案の使用状態が完了する。任意の穴の周辺には装飾用の縁取り（９）を設ける。以上を特徴として備えた枕カバー。
【請求項２】
薄板（８）の種類は材質の異なる複数材料を利用できる。その匂いが好まれる事で人気のヒバ材などの天然の板や価格が安く、ひんやり感に優れた合板、透明性があって涼しげなアクリル板や丈夫なアルミ板など、需要に応じた加工板を供給して、利用者各自が使用出来るものとする。
【考案の詳細な説明】
【技術分野】
【０００１】  本考案は、枕カバーの構造に関し、特に人が頭を乗せたときに枕の硬さや、冷感、匂いを成すシートを交換して遊用し、気分に適した感触を楽しめる枕カバーの構造に係る。
【背景技術】
【０００２】  本考案は枕カバーの上部に円形あるいは長方形、ハート形などの穴を空け、次に、上部に戸袋を設けた後に側面に穴を空けて開閉用のファスナーを設ける。【０００３】  次に、枕カバーのサイズに応じて出し入れのできるサイズで且つ厚み１〜２ｍｍ程度の板を差しこんで使用すれば当該板の感触が頭に伝わるという仕組みの枕である。【０００４】  板の種類は木板、厚紙、プラステイック板、アクリル板、匂いを放つことで知られているヒバ板（あすなろ板）が好まれ、アクリル板などのプラステイック素材は透明なものからさまざまな好みの色を着色しての利用など、装飾すればファッション性も楽しめる。
【考案の概要】
【考案が解決しようとする課題】
【０００５】  本考案により、特に柔らかいばかりの枕と違った多くのパターンの枕の感触が楽しめることとなる。
【課題を解決するための手段】
【０００６】  枕カバーの上正面の任意の位置に、頭が載る大きさのハート型などの穴を開ける。次に当該穴の円周に沿ってほつれなどが発生しないように縁取りを施して装飾する。
【考案の効果】
【０００７】  本考案に使用する各種類の板は、それぞれの感触を選んで利用できる構造であり、就寝や休息時の使用中においても利用者のコンデイションや好みに応じて戸袋側面のファスナーの開閉により差し替え交換や取り外しが簡単に出来る。
さらに、挿入中の薄板の差し替えは当該枕を利用中の人が頭を置いて寝たままの状態にあっても、片手でファスナーを開いて、わずかに頭を起こせば簡単に着脱が出来る。
つまり、その時の好みによって、薄板無しのままでの就寝も可能となる。
【考案を実施するための形態】
【０００８】  その最良な実施形態について、図面に示す実施例にもとずいて具体的な説明をする。図１は本考案の枕カバーに穴を空けて後、戸袋を設け、そこに利用者が好みの薄板を差し込んで使用する枕カバーの構造である。
【図面の簡単な説明】
【０００９】
【図１】は本願考案の枕カバー１を上から見た平面図である。枕カバー１の上部面に円形やハート形などの穴２を空け、その直下に戸袋３を取り付ける、一方に開口部４を開いて、さらに戸袋３も含む枕カバー全体の開口部５には開閉用のファスナー６を取り付ける。次に、枕７を枕カバーの開口部５から戸袋３の下の枕カバー１の底に設置して、次にいつでも出し入れ可能な薄板８を戸袋３へ挿入してファスナー６を閉じれば本考案の枕カバーを利用して成る枕７の平面図である。
【図２】は本願考案の枕カバーにファスナーを装着した側面図である。
【図３】は本願考案の枕カバー１のファスナー６を開封して戸袋３の下へ枕７を布生地である枕カバー１の伸縮と枕７の弾力を利用して押しこんで置き、次に戸袋３に薄板８を挿入して完成した新しいタイプの枕を実現した本願考案の枕カバー側面の断面図である。
【符号の説明】
【００１０】１・・・・・・・・・・枕カバー
２・・・・・・・・・・枕カバーに空けた円形の穴
３・・・・・・・・・・戸袋
４・・・・・・・・・・戸袋の開口部
５・・・・・・・・・・枕カバーの開口部
６・・・・・・・・・・開閉用ファスナー
７・・・・・・・・・・枕
８・・・・・・・・・・薄板
【図１】
0003185056.tif 000003
【図２】
0003185056.tif 000004
【図３】
0003185056.tif 000005
【手続補正書】
【提出日】平成25年5月10日(2013.5.10)
【手続補正１】
【補正対象書類名】実用新案登録請求の範囲
【補正対象項目名】全文
【補正方法】変更
【補正の内容】
【実用新案登録請求の範囲】
【請求項１】
枕カバー（１）の上面部に設けられた穴（２）と、前記穴の下の位置に設けられた枕カバーの面積とほぼ同じ寸法大の戸袋（３）と、前記戸袋の一方端部に設けられた開口部（４）とを備えた枕カバーであって、前記枕カバーの一方の端を切り落とした枕カバーの開口部（５）と、前記枕カバーの開口部に設けられた開閉用のファスナー（６）と、前記戸袋の一方端部に設けられた開口部に挿入される薄板（８）とを備えたことを特徴とする枕カバー。
【請求項２】
前記薄板（８）は、ヒバ材、合板、アクリル板、アルミ板のずれかであることを特徴とする請求項１記載の枕カバー。
(57)【要約】      （修正有）【課題】魚が体をくねらせて暴れるのを防ぎ、針をはずした魚を網の中に保持し、釣った魚に直接手を触れず安全に容易に処理できる魚挟みを提供する。【解決手段】適当な硬度と弾力を持った棒状の板を先の開いたＶ字又はＵ字型に曲げて魚を挟む本体１とし、本体の魚を挟む部分の両側に適当な硬さと弾力を持つ簾状の押さえ２，３を取り付け、魚が体をくねらせて暴れるのを防ぐようにし、更に簾状の押さえを囲うようにして網５を挟み本体に取り付け、針をはずした魚が取り込める様になっている。【選択図】図２
0003185060.tif 000002
【実用新案登録請求の範囲】
【請求項１】
魚挟みの魚を挟む部位に魚を押さえるための適当な長さと幅を持ち、適当な強度と弾力を持つ魚押さえを付けた魚挟み。
【請求項２】
魚を取り込むために魚挟みの下部を囲うように網を取り付けた魚挟み。
【考案の詳細な説明】
【技術分野】
【０００１】
釣り上げた魚を暴れないようにして挟んで押さえる機能を持つ魚挟みに関する。
【背景技術】
【０００２】
従来のものは挟む機能を持つプライヤーやペンチ或いは大きなピンセットや火バサミ状のもので、単純に魚を挟んで押さえるものであった。（先行技術文献の特許文献1、2および3参照）
【先行技術文献】
【特許文献】
【０００３】
【特許文献１】特許出願平８−２４０９２６
【特許文献２】実用新案出願平４−４６６６７
【特許文献３】特開２０１２−１３５２３８
【考案の概要】
【考案が解決しようとする課題】
【０００４】
魚釣りで吊り上げた魚から釣り針をはずすために魚を押さえなければならないが、魚に直接触れると魚の鰓やひれで怪我をしたり、魚の種類では毒針をもつものもあり危険である。
【０００５】
魚を押さえるために一般的には“めごちばさみ“と言われる、火バサミやプライヤー状のもので魚を挟んで押さえるが、挟まれた魚が暴れると少し大きな魚では押さえることが困難なため、タオルで包んで押さえたり、足で踏んだりすることが多い。
【０００６】
また、魚を二本の棒で挟んで押さえる場合には、挟んだ魚が体をくねらせて暴れるために押さえ難く、暴れて挟み棒から外れ逃がすことも多い。
【課題を解決するための手段】
【０００７】
本考案の魚挟みは柄の部分から先の開いた部分を手で握ることによって先端部分の開きを閉じて魚を挟むが、本体の魚を挟む部分の両側に適当な硬さと弾力を持つ簾状の魚押さえを取り付け、魚が体をくねらせて暴れるのを防ぐようになっている。
【０００８】
魚を二本の軸で挟んで押さえると共に魚の身体全体を簾状の弾力の有る硬質の押さえが覆うことでしっかり魚を押さえる事が出来る様になっている。
【０００９】
簾状の押さえは適当な弾力を持ち、一本一本の簾棒は弾力的に連結されているから、魚の形や大きさが異なってもそれに合わせて押さえる事が出来、さらに魚挟みの本体は簾状の押さえが逆ハの字になるように捻ってあるから、魚挟みが魚を挟んだとき、その力は魚の体全体に及び、十分に魚を押さえることができる。
【００１０】
また、押さえた魚全体に力が作用するから、挟みの一部で魚を押さえる従来の挟みに比べて魚を痛めることがない。
【００１１】
魚挟みの下部には網が張られており、針をはずした魚は挟む力を緩めれば網の中に入り、安全に確保できる。
【００１２】
網は魚挟みが開いた自由状態で挟みの両側軸と先端を結ぶ三角形をなす様に張られており、先端側の一辺は支えがなく自由状態になっている事から、挟みを閉じた状態では網の先端部は緩み、網の中の魚を他に移すときはこの部分を利用して移すことで全く魚に手を触れることなく魚を処理することができる。
【００１３】
簾状の魚押さえの部分は弾力のある硬質の網状の板や、突起を設けた弾力の有る板にすることもできる。
【考案の効果】
【００１４】
この考案の魚挟みは、簾状の押さえによって魚を面で押さえ、魚が体をくねらせて暴れるのを防ぎ、針をはずした魚を網の中に保持し、網の自由端から魚を外に出すことで釣った魚に直接手を触れず安全に容易に処理できる。
【図面の簡単な説明】
【００１５】
【図１】Y-Y方向の側面図
【図２】上から見た図
【図３】Z方向から見た正面図
【図４】魚を挟んだ状態のX-X方向の側面図
【図５】魚を挟んだ状態を上から見た図
【考案を実施するための形態】
【００１６】
適当な硬度と弾力を持った棒状の板を先の開いたＶ字又はＵ字型に曲げて魚を挟む本体とし、本体の魚を挟む部分の両側に適当な長さの簾状の押さえを固定し、更に簾状の押さえを囲うようにして網を挟み本体に取り付ける。
【実施例】
【００１７】
適当な硬度と弾力を持ったプラスチックあるいは金属等の棒状板を先の開いたＶ字又はＵ字型にして本体とし、さらに魚を挟む部分の両側に適当な硬度と弾力を持ったプラスチックあるいは金属等の適当な長さの簾状の押さえを固定し、更に簾状の押さえは互いに弾力的につなぎ合わせる。
【００１８】
簾状の押さえは網状や板状にすることも出来る。
【００１９】
挟み本体は平行な握り部からV字に開き始める部分の境部を簾状の魚押さえが逆ハの字に成る様に適当に捻られている。
【００２０】
網は魚挟み下部を覆うが、挟み本体が自由に開いた状態が維持できるように先端部に余裕を持たせ三角形に取り付け、網の深さは簾状の魚押さえが触れない様にし、適当な大きさの魚が入れられる長さで閉じる。
【産業上の利用可能性】
【００２１】
レジャーで釣りを楽しむ人が安全に快適に釣った魚を処理できる事は必要であり魚挟みは効果的なものである。
【符号の説明】
【００２２】
Ａは魚
1は握り部を含む挟み本体
2は左側簾状魚押さえ
3は右側簾状魚押さえ
4は平行な握り部
5は網
【図１】
0003185060.tif 000003
【図２】
0003185060.tif 000004
【図３】
0003185060.tif 000005
【図４】
0003185060.tif 000006
【図５】
0003185060.tif 000007
【手続補正書】
【提出日】平成25年5月29日(2013.5.29)
【手続補正１】
【補正対象書類名】実用新案登録請求の範囲
【補正対象項目名】全文
【補正方法】変更
【補正の内容】
【実用新案登録請求の範囲】
【請求項１】
平行な握り部とＶ字またはＵ字に開いた部分とを有する本体と、該本体の両側に固定された弾力のある硬質の魚押さえと、からなる魚挟み。
【請求項２】
魚を取り込むために魚挟みの下部を囲うように網を取り付けた魚挟みであることを特徴とする請求項1記載の魚挟み。
(57)【要約】      （修正有）【課題】ゴミ袋スタンドにゴミ袋をかぶせてもゴミの重みでずれ落ちること無く、簡単に取り外し、取り付けが出来て持ち運びできるゴミ袋滑り止め把手付き保持具を提供する。【解決手段】ゴミ袋スタンド本体１の上のリング６の両端に丸座２を溶接し、鋼線を半円加工された部品３の両端に球５を溶接することにより上のリング６の両端に溶接した丸座２の穴径７と鋼線を半円加工された部品３の両端に溶接した球５が隙間なく合うので、ゴミ袋スタンド本体１の中にゴミ袋４を入れて、上のリング６の両端に溶接した丸座２にゴミ袋４の入口を、折り返して上のリング６の両端に溶接した丸座２の穴径７に鋼線を半円加工された部品３の両端に溶接した球５で挟むとゴミ袋４もずれ落ちることも無く、破れない。鋼線を半円加工された部品３が把手になり、持ち運び出来るようになる。【選択図】図２
0003185054.tif 000002
【実用新案登録請求の範囲】
【請求項１】
ゴミ袋がずれ落ちないようにする為の、ゴミ袋スタンド本体の上のリングの両端に丸座を溶接し、鋼線を半円加工された部品の両端に球を溶接し、ゴミ袋を挟んで使うことを特徴とする、ゴミ袋滑り止め把手付き保持具。
【請求項２】
ゴミ袋スタンド本体を持ち運び出来る、請求項１に記載の鋼線を半円加工された部品を把手とすることを特徴とするゴミ袋滑り止め把手付き保持具。
【請求項３】
請求項１の部材の材料として、ジュラルミンまたは繊維強化プラスチックを用いることを特徴とする、ゴミ袋滑り止め把手付き保持具。
【考案の詳細な説明】
【技術分野】
【０００１】    本願考案は、台所の生ゴミを処理するゴミ袋スタンドに関するものである。【０００２】    従来は、特許文献１で開示されたゴミ袋スタンドは、ゴミ袋にゴミを入れていくと重みでずれ落ちてしまい保持出来なく、持ち運ぶことも困難であった。【０００３】    特許文献２で開示された、コイル式ゴミ袋スタンドは、スプリング線で入口のリングを二重巻きにし、ゴミ袋がずれ落ちないように挟みこんで使用するが、ゴミ袋をリングの間に挟み込むことが難しい。また、ゴミを入れた後の取り出しも困難であった。
【先行技術文献】
【特許文献】
【０００４】
【特許文献１】  実用新案登録第３１６３１８１号  公報
【特許文献２】  特開２０１２−９１９３０号  公報
【考案の概要】
【考案が解決しようとする課題】
【０００５】  特許文献１で開示された、ゴミ袋スタンドは、ゴミ袋にゴミを入れていくと重みで袋がずれてしまい保持出来なく、持ち運ぶことも困難であった。これに対して、本願考案はゴミ袋がずれ落ちない、破れない、持ち運びも出来る、従来に無い便利なゴミ袋スタンドを考案し完成させるに至った。【０００６】  特許文献２で開示された、コイル式ゴミ袋スタンドは、滑り止めに入口のリングを二重巻きにし、ゴミ袋の入口を滑らないように、リングを二重巻きの間に挟みこんで使用するが、挟みにくい欠点があった。また、ゴミを入れた後、取り出す時に上に引っ張り上げるか、下から取り出さなければいけなかった。これに対して、本願考案は、ゴミ袋を簡単に取り出すことが出来て、ゴミ袋がずれ落ちない、破れない簡単に挟みこめる、従来に無い便利なゴミ袋スタンドを考案し完成させるに至った。
【課題を解決するための手段】
【０００７】  ゴミ袋４がずれ落ちないようにする為には、ゴミ袋スタンド本体１の上のリング６の両端に丸座２を溶接し固定する。鋼線を半円加工された部品３の両端に球５を溶接する。上のリング６の両端に溶接した丸座２の穴径７と鋼線を半円加工せれた部品３の両端に溶接した球５は、隙間なく合うようにする。ゴミ袋４を上のリング６の中に入れ、ゴミ袋４の入口を上のリング６の両端に溶接した丸座２にかぶせるように折り返し、上のリング６の両端に溶接した丸座２の穴径７に合うように、鋼線を半円加工された部品３の両端に溶接した球５で挟んだ。
【考案の結果】
【０００８】  上のリング６の両端に溶接した丸座２の穴径７と鋼線を半円加工された部品３の両端に溶接した球５が合うと、鋼線を半円加工された部品３には、材質に鋼線を使い焼き入れ加工している為、広げると内側に力が働くので、上のリング６の両端に溶接した丸座２の穴径７と鋼線を半円加工された部品３の両端に溶接した球５で合うように挟んだ結果、ゴミを入れても重みでゴミ袋４がずれ落ちること無く、破れることも無い。また半円加工された部品３が把手になり持ち運びも解決された。
【図面の簡単な説明】
【０００９】
【図１】本願考案のゴミ袋スタンド本体１と本体１に溶接した丸座２と鋼線を半円加工された部品３とゴミ袋４を示す正面図である。
【図２】本願考案のゴミ袋スタンドの使用状況を示す正面図である。
【考案を実施するための形態】
【００１０】  ゴミ袋スタンド本体１から鋼線を半円加工された部品３の両端を持って広げて外す。ゴミ袋４を上のリング６の中に入れ、ゴミ袋４の入口を広げて上のリング６の両端に溶接した丸座２にかぶせるように折り返し、鋼線を半円加工された部品３の両端に溶接した球５で上のリング６の両端に溶接した丸座２の両端の穴径７と合うように挟む。
【産業上の利用可能性】
【００１１】  本願考案のゴミ袋滑り止め把手付き保持具は主に台所で使用するが、工場や事務所などから出る廃棄物などの収集に広く使用できるものである。また、生き物の排泄物を廃棄する時に持ち運びも出来る。
【符号の説明】
【００１２】  １  ゴミ袋スタンド本体
２  丸座
３  鋼線を半円加工された部品
４  ゴミ袋
５  球
６  上のリング
７  丸座の穴径
【図１】
0003185054.tif 000003
【図２】
0003185054.tif 000004
【手続補正書】
【提出日】平成25年5月10日(2013.5.10)
【手続補正１】
【補正対象書類名】実用新案登録請求の範囲
【補正対象項目名】全文
【補正方法】変更
【補正の内容】
【実用新案登録請求の範囲】
【請求項１】
ゴミ袋がずれ落ちないようにする為の、ゴミ袋スタンド本体の上のリングの両端に丸座を溶接し、鋼線を半円加工された部品の両端に球を溶接し、ゴミ袋を挟んで使うことを特徴とする、ゴミ袋滑り止め把手付き保持具。
【請求項２】
ゴミ袋スタンド本体を持ち運び出来る、請求項１に記載の鋼線を半円加工された部品を把手とすることを特徴とするゴミ袋滑り止め把手付き保持具。
(57)【要約】      （修正有）【課題】電車等乗物のシートの先端の持ち手部から荷物が外れて、下に落ちることを防止できる荷物掛けフックを提供する。【解決手段】Ｓ字状で、Ｓ字状の上部であるリング状の取っ手吊り下げ部２と、Ｓ字状の下部である荷物を吊り下げる円弧状の荷物吊り下げ部３、Ｓ字状の変曲点である係合部４を備え、取っ手吊り下げ部２の端部２２は、係合部４の近傍に配置され、係合部４の裏には凹部４１、端部２２の係合部４側には凸部４２なる係合手段を有し、荷物吊り下げ部３の円弧状の他端である端部３１は、荷物を引っ掛けられるように、係合部４とは離れた位置に配置される。【選択図】図１
0003185095.tif 000002
【実用新案登録請求の範囲】
【請求項１】
S字状で、S字状の上部であるリング状の取っ手吊り下げ部２と、S字状の下部である荷物を吊り下げる円弧状の荷物吊り下げ部３、S字状の変曲点である係合部４を備え、取っ手吊り下げ部２の端部２２は、係合部４の近傍に配置し、係合部４と端部２２とを取り外し可能に接続できる係合手段を有し、荷物吊り下げ部３の円弧状の他端である端部３１は、荷物を引っ掛けられるように開口部３２をできるように、係合部４とは離れた位置に配置し、荷物吊り下げ部３に、荷物を掛けて、取っ手吊り下げ部２を、持ち手に引っ掛けた後に、係合手段により、係合部４と端部２２とを接続することで、取っ手吊り下げ部２がリングを構成し、持ち手から外れないようにしたことを特徴とする荷物掛けフック。
【請求項２】
前記係合手段は、係合部４の裏の凹部４１と、端部２２の係合部側に備えた凸部４２からなることを特徴とする請求項１記載の荷物掛けフック。
【考案の詳細な説明】
【技術分野】
【０００１】
電車等乗物のシートの先端の持ち手部にフックを引っ掛けてスーパの袋等を引っ掛ける荷物掛けフックに関する。
【背景技術】
【０００２】
荷物等を自分の手で、長時間持つのは大変であった。
【先行技術文献】
【特許文献】
【０００３】
【特許文献１】実開平5-80379公報
【考案の概要】
【考案が解決しようとする課題】
【０００４】
電車等乗物のシートの先端の持ち手部にフックを引っ掛けてスーパの袋等を引っ掛けていると、電車が揺れると、荷物が、持ち手部から外れて、下に落ちて、壊れることがあった。
【課題を解決するための手段】
【０００５】
S字状で、S字状の上部であるリング状の取っ手吊り下げ部２と、S字状の下部である荷物を吊り下げる円弧状の荷物吊り下げ部３、S字状の変曲点である係合部４を備え、取っ手吊り下げ部２の端部２２は、係合部４の近傍に配置し、係合部４と端部２２とを取り外し可能に接続できる係合手段を有し、荷物吊り下げ部３の円弧状の他端である端部３１は、荷物を引っ掛けられるように開口部３２をできるように、係合部４とは離れた位置に配置し、荷物吊り下げ部３に、荷物を掛けて、取っ手吊り下げ部２を、持ち手に引っ掛けた後に、係合手段により、係合部４と端部２２とを接続することで、取っ手吊り下げ部２がリングを構成し、持ち手から外れないようにしたことを特徴とする荷物掛けフック。
【０００６】
前記係合手段は、係合部４の裏に設けた凹部４１と、端部２２の係合部側に設けた凸部４２からなることを特徴とする荷物掛けフック。
【考案の効果】
【０００７】
荷物や、持ち手部から外れて、下に落ちて、荷物を壊れることを防止できる。
【図面の簡単な説明】
【０００８】
【図１】本考案の荷物掛けフックの構成  （ａ）全体構成  （ｂ）係合部の構成
【図２】従来の荷物掛けフックの構成
【考案を実施するための形態】
【０００９】
図１は、本考案の荷物掛けフックの構成を示す。
（ａ）は全体構成、（ｂ）は係合部の構成を示す。
本考案の荷物掛けフックは、S字状で、S字状の上部は、電車の持ち手等に引っ掛ける取っ手吊り下げリング２を構成し、S字状の下部は、荷物を吊り下げる円弧状の荷物吊り下げ部３を構成する。S字状の上部と下部の変曲点は、後述する係合部４を構成する。Ｓ字状の荷物掛けフックは、樹脂など材料で構成する。
【００１０】
取っ手吊り下げリング２の端部２２は、係合部４に重なる近傍に位置する。係合部４の裏には凹部４１、端部２２の係合部４側には凸部４２が形成され、それらを係合して接続するとリングを形成する。係合部４での係合手段としては、上記以外に、面ファスナーで接続したり、クリップで接続する方法などがある。荷物吊り下げ部３の他端である端部４は、開口部３２を有するように、係合部４とは離れた位置に配置し、荷物を引っ掛けられやすいようにする。
【００１１】
荷物掛けフック１を、電車の座席の持ち手等に引っ掛けるときは、まず、取っ手吊り下げリング２を、持ち手に通して、引っ掛けて、係合部４の凹部４１と、端部２２の凸部４２を係合させて、持ち手から外れにくくする。
次に、荷物吊り下げ部３に荷物を吊す。
【００１２】
図２は、従来の荷物掛けフックの構成を示す。形状はS型であるが、本考案のような係合部がないために、座席などの持ち手から外れる可能性がある。
【符号の説明】
【００１３】
１  荷物掛けフック
２  取っ手吊り下げ部  
２２  端部
３  荷物吊り下げ部
３１  端部
３２  開口部
４  係合部
４１  凹部
４２  凸部
【図１】
0003185095.tif 000003
【図２】
0003185095.tif 000004
(57)【要約】      （修正有）【課題】高さ調節機能、収納機能を保有し、キャスターによって持ち運びを容易にすることで学生の便宜に資する学校用机及び学校用椅子を提供する。【解決手段】机１および椅子の左右の側板２に高さ調節用の穴を開け、そこにボルトを通すことにより、児童の成長に合わせて高さを変えられることを可能とし、机の天板下部および椅子の座面の下部に学校用具を納められる収納部３を設け、机の脚部の前方に二箇所、椅子の脚部に四箇所キャスター４を装着することにより持ち運びを容易にすることを特徴とする。【選択図】図１
0003185067.tif 000002
【実用新案登録請求の範囲】
【請求項１】
机の左右の側板に高さ調節用の穴を開け、そこにボルトを通すことにより、児童の成長に合わせて高さを変えられることを特徴とする学校用机。
【請求項２】
さらに収納部を設け、学校用具を収納できることを特徴とする請求項１記載の学校用机。
【請求項３】
脚部にキャスターをつけることにより、容易に移動ができることを特徴とする請求項１または２に記載の学校用机。
【請求項４】
椅子の左右の側板に高さ調節用の穴を開け、そこにボルトを通すことにより、児童の成長に合わせて高さを変えられることを特徴とする学校用椅子。
【請求項５】
さらに収納部を設け、学校用具を収納できることを特徴とする請求項４記載の学校用椅子。
【請求項６】
脚部にキャスターをつけることにより、容易に移動ができることを特徴とする請求項４または５に記載の学校用椅子。
【考案の詳細な説明】
【技術分野】
【０００１】  本考案は、高さ調節機能、収納機能、キャスターを付けた学校用机および椅子に関するものである。
【背景技術】
【０００２】  近年、森林保護のために伐採された間伐材の利用促進を目的とする学校用の机と椅子を導入する自治体が増えている。また、児童の成長に合わせて、高さが調節できる機能を付けたものが公知である。【０００３】  しかしながら、木製の机や椅子は、強度や高さ調節などの機能を付加させるほど重量が増す傾向にあり、「木材を活用した学校用家具の調査研究  平成１７年３月  文部科学省」の調査結果では、木製の机は８〜１０Ｋｇが最も多いとされており、軽いものでも机が８Ｋｇ、椅子が４．５Ｋｇという事例が一部にみられるだけである。【０００４】  また、教室内の掃除や学校行事等において、机と椅子を教室の隅に寄せたり、教室の外に移動させたりするときにはこの重さが問題となっていた。
【先行技術文献】
【０００５】
【非特許文献１】「木材を活用した学校用家具の調査研究  平成１７年３月  文部科学省」
【非特許文献２】「地域材・間伐材を活用した学校づくりに関する調査研究  平成２３年３月  社団法人  文教施設協会」
【考案の概要】
【考案が解決しようとする課題】
【０００６】  間伐材を利用した木製の学校用机および椅子は「森林資源の保全」「地場産業の育成」「地域の教育力の向上」など様々な効果があるが、高さ調節などの機能を付加させるほど重量が増す傾向にあり、その重量による持ち運びのしづらさが問題となっていた。本考案は、この相反する問題を解決し、より使いやすい机と椅子を提供することを、考案が解決しようとする課題とする。
【課題を解決するための手段】
【０００７】  本考案は、木製の学校用机および椅子に、高さ調節機能、収納機能を付加し、それによって増した重量による持ち運びのしづらさの問題を、それぞれにキャスターを装着することによって、課題を解決するための手段とするものである。
【考案の効果】
【０００８】  机および椅子に高さ調節機能を付加することにより、児童の成長に合わせた使いやすい高さとすることができる。また、収納機能については、机においては天板の下部、椅子においては座面の下部に収納部分を設けることより多くの収納ができる。【０００９】  また、これらの機能の付加による重量の増加については、机については、脚部の前方に二箇所キャスターをつけることにより、移動時には天板の前面を持上げることで容易に移動ができるようにする。また、椅子については、脚部に四箇所スプリングを内蔵したキャスターをつけることにより、着座状態の時には、人間の体重によりキャスターが引っ込み椅子の位置が固定され、着座していないときにはスプリングの力でキャスターが脚底面より飛び出て、机と同様に容易に移動ができるようにする。
【図面の簡単な説明】
【００１０】
【図１】本考案の対象とする学校用の机の正面図である。
【図２】本考案の対象とする学校用の机の側面図である。
【図３】本考案の対象とする学校用の椅子の正面図である。
【図４】本考案の対象とする学校用の椅子の側面図である。
【図５】本考案の対象とする机のキャスターの詳細図である。
【図６】本考案の対象とする椅子のキャスターの詳細図である。
【考案を実施するための形態】
【００１１】  本考案は、机と椅子からなり、机には左右の側板に高さ調節用の穴を開け、そこにボルトを通すことにより、児童の成長に合わせて高さを変えられることができる。さらに、天板下部には収納部を設けており、学校用具を収納できる。また、脚部の前方に二箇所キャスターをつけることにより、移動時に天板の前面を持上げることで容易に移動ができる。
椅子には左右の側板に高さ調節用の穴を開け、そこにボルトを通すことにより、児童の成長に合わせて座の高さを変えられることができ、座面下部に収納部を設け、学校用具を収納できる。さらに、脚部に四箇所スプリングを内蔵したキャスターをつけることにより、着座状態の時には、人間の体重によりキャスターが引っ込み椅子の位置が固定され、着座していないときにはスプリングの力でキャスターが脚底面より飛び出て容易に移動ができる。
【符号の説明】
【００１２】１  机
２  側板
３  収納部
４  キャスター
５  椅子
６  収納部
７  キャスター
【図１】
0003185067.tif 000003
【図２】
0003185067.tif 000004
【図３】
0003185067.tif 000005
【図４】
0003185067.tif 000006
【図５】
0003185067.tif 000007
【図６】
0003185067.tif 000008
(57)【要約】      （修正有）【課題】足場に張るシート類の結束バンドを提供して作業効率を向上させることができるシート用結束バンドを提供する。【解決手段】自在に曲がる円形のバンド１の片方のバンド先端のツマミ２、それに続いて鋸歯凸型の形成するバンドの一部分４があり、さらにシートのハトメ位置に合わせて配置した３カ所の突起６，７，８、もう一方の端にはＵ字型の溝の中に鋸歯凹型を有するバンドの引抜防止部分３を備える。バンド１をシートのハトメの穴を通し、足場の建地鋼管９にバンド１を一周廻して、バンドの引抜防止部分３の中にバンドの一部分４を落し込んでツマミ２を引っぱって足場の建地鋼管９に締付けることにより足場のシート類の結束作業効率の向上を実現する。【選択図】図１
0003185070.tif 000002
【実用新案登録請求の範囲】
【請求項１】
自在に曲がる円形のバンドの片方をバンドの先端とし、そこにバンド先端のツマミ、それに続いて鋸歯凸型の形成するバンドの一部分があり、さらにシートのハトメ位置に合わせて配置した３カ所の突起、もう一方の端にはＵ字型の溝の中に鋸歯凹型を有するバンドの引抜防止機能を有する部分を特徴とする仮設足場のシート用結束バンド。
【考案の詳細な説明】
【技術分野】
【０００１】本考案は建設業における足場に張るシート類の結束バンドに関するものである。
【背景技術】
【０００２】従来の足場に張るシート類に関してはシート結束紐をシート類のハトメを通して結束紐を蝶々結びにして使用していた。仮設足場のシート用結束バンドはなかった。
【先行技術文献】
【特許文献】
【０００３】
【特許文献１】実用新案登録第３０８２８０１号
【非特許文献】
【０００４】
【非特許文献１】ヘラマンタイトン総合カタログ‘１１−‘１３年度版Ｐ３２〜Ｐ７３  ヘラマンタイトン（株）
【非特許文献２】モノタロウ間接資材総合カタログ  ＲＥＤＢＯＯＫ  ｖｏｌ．８  Ｐ２５１シート紐  （株）ＭｏｎｏｔａＲＯ
【考案の概要】
【考案が解決しようとする課題】
【０００５】従来は次のような欠点があった。
足場のシートを張る場合、一枚のシートの四辺にあるハトメの穴にシート紐を通し、次に隣り合うシートのハトメの穴にもシート紐を通して両方のシート紐の端部を足場の建地に巻付けて蝶々結びで結びつける。その作業は全て手作業となるために、作業効率が悪かった。
本考案は、以上のような従来の欠点を鑑み、足場のシート用の結束バンドを提供して作業効率の向上を目的としている。
【課題を解決するための手段】
【０００６】上記目的を達成するために、本考案は、自在に曲がる円形のバンドの片方をバンドの先端とし、そこにバンド先端のツマミ、それに続いて鋸歯凸型の形状のバンドがあり、さらにシートのハトメが移動してシート同士に隙間ができる事を阻止する突起が３カ所シートのハトメ位置に合わせて配置し、もう一方の端にはＵ字型の溝の中に鋸歯凹型を有するバンドの引抜防止機能を有する部分とで仮設足場のシート用結束バンドを構成している。
【考案の効果】
【０００７】以上の説明から明らかなように、本考案にあっては次に列挙する効果が得られる。
（１）  自在に曲がる円形バンドをシートのハトメの穴を通し足場の建地鋼管を一周まわした位置にある鋸歯凸型を形成するバンド部分をＵ字型の溝に落し込み、取っ手部を引っぱるとバンドが締り溝の内部ある鋸歯凹部が上記の鋸歯凸部と引っ掛かり逆の方向にバンドが抜けなくなる。
（２）  最初のシートのハトメ穴にバンド先端のツマミの方から通し、符号６、符号７との間のバンドにそのハトメが移動すると、ハトメは左右の突起に阻止されてどちらにもいけないようになり、シートを解体した時にバンドがシートに残り次にシートを張る時に再度シートのハトメにバンドを通す手間が省けるが、強くバンドを引くと符号７を通るのでバンドを外す事もできる。
（３）  次のシートのハトメ穴にバンド先端のツマミの方から通し、符号８がハトメ越えるとハトメは符号２の方に移動が阻止されてシート同士に隙間ができて物等が落ちるの防止するが、バンドを外す時は強くバンドを引くと外す事もできる。
【図面の簡単な説明】
【０００８】
【図１】はベルトを固定した時の平面図
【図２】はベルトを外した時の平面図
【図３】はイーイ断面図
【図４】はローロ断面図
【図５】はベルトをまっすぐ伸ばした時の平面図
【図６】はハーハ立面図
【図７】はニーニ立面図
【図８】はバンドを固定する順序の参考図
【考案を実施するための形態】
【０００９】以下、本考案の実施の形態を図に基づいて説明する。
【実施例１】
【００１０】図１は、ベルトをＵ字型の溝の中に落し込んで固定した時の平面図である。
【実施例２】
【００１１】図２は、ベルトを外した時の平面図で、図３、図４はバンドの引抜き防止部分の縦横の断面図である。
【実施例３】
【００１２】図５は、ベルトをまっすぐ伸ばした時の平面図である。
【実施例４】
【００１３】図６、図７は、ベルトをＵ字型の溝の中に落し込んで固定した時の立面図である。
【実施例５】
【００１４】図８は、バンドを固定する順序の参考図で、上の図から自在に曲がる円形バンドを最初のシートのハトメ穴を通し符号６がハトメの当たるまで引っぱり、ハトメを符号６と符号７の間のベルトに落し込んでハトメが前後どちらのも移動しないようにし、次のシートのハトメ穴を符号８まで通しそのハトメが符号２の方に行かないようにして、足場の建地鋼管を一周廻してＵ字型溝の中に鋸歯凸型を形成するバンド部分を落し込み、次に真ん中の図のようにツマミを引っぱってバンドを建地に締付けて、下の図のようにバンドを固定する。
【符号の説明】
【００１５】１  バンド
２  バンド先端のツマミ
３  バンドの引抜き防止部分
４  鋸歯凸型を形成するバンドの一部分
５  鋸歯凹型を形成するＵ字型の溝の内部
６  最初のシートのハトメ穴が符号７との間から移動しないようにする突起
７  最初のシートのハトメ穴が符号２の方に行かないようにする事と符号６との間から移動しないようにする突起
８  次のシートのハトメ穴が符号２の方に行かないようにする突起
９  足場の建地鋼管（破線部、本考案対象外）
【図１】
0003185070.tif 000003
【図２】
0003185070.tif 000004
【図３】
0003185070.tif 000005
【図４】
0003185070.tif 000006
【図５】
0003185070.tif 000007
【図６】
0003185070.tif 000008
【図７】
0003185070.tif 000009
【図８】
0003185070.tif 000010